(57)【要約】【課題】  主制御局１と、無線通信網を通して通信でリンクされる一つ以上の計測装置８とを備える、油等の流体のプリセット量を供給するためのシステムを提供する。【解決手段】  主制御局１は、計測装置８からの流体の注入を可能にするための指令信号を提供し、注入される流体の現在の量を提供する。計測装置８は、手動操作のレバー14によって手動で起動され、その後で潤滑液を注入するために開位置で掛合される。所定量の潤滑液が注入されるまで、注入される潤滑液の量が計測される。プリセット量が注入された後、計測装置８は、閉位置で掛合され、計測装置８が主制御局１によって再び可能にされるまで、更なる注入が防止される。
2005537189.tif 000002
【特許請求の範囲】
【請求項１】
弁を閉位置から開位置まで手動で作動させ、
第１の時間の間、電動操作装置を作動させて前記弁を前記開位置に掛合し、
液体の流量のパラメータを測定し、
プリセット量と等しいパラメータに応じて、第２の時間の間、前記電動操作装置を作動させて前記弁の作動ができるように前記弁の掛合を解除し、前記弁を閉位置に戻して流体の流れを停止することができるようにする工程を含む、注入装置によって潤滑液の注入量を制御する方法であって、
イネーブル信号を受ける前は前記弁が作動できないようにし、
前記注入装置から離れて配置される制御局からのイネーブル信号に応じて、前記弁を作動させ、
前記制御局に、バッチプリセット量が注入されたことを示す信号を発生させ、
前記制御局から次のイネーブル信号が受信されるまで、弁作動装置を更なる操作に対して無効な状態に戻す信号を受信する工程を特徴とする方法。
【請求項２】
前記制御局に前記バッチプリセット量が注入されたことを示す信号を発生させる工程が、更に無線通信網を通して前記制御局に信号を送信することを含み、
前記制御局から次のイネーブル信号が受信されるまで、弁作動装置を更なる操作に対して無効な状態に遮断する状態に戻す信号を受信する工程が、前記無線通信網を通して前記制御局から信号を受信することを備えることを特徴とする、請求項１に記載の方法。
【請求項３】
更に、前記制御局から、注入のための前記プリセット量を受信することを特徴とする請求項１に記載の方法。
【請求項４】
更に、閉位置で前記弁を掛合するために前記電動操作装置を作動させることを特徴とする請求項１に記載の方法。
【請求項５】
更に、複数の注入装置が前記制御局に通信可能に接続されていることを特徴とする請求項１に記載の方法。
【請求項６】
前記無線通信網がラジオ周波数網であることを特徴とする請求項２に記載の方法。
【請求項７】
前記前記弁が開位置又は閉位置に掛合されたとき、手動レバーに抗する力を提供することを特徴とする請求項１に記載の方法。
【請求項８】
前記制御局から無効化信号を受信し、
前記無効化信号に応じて前記電動操作装置を作動させて、閉位置で前記弁を掛合することを特徴とする請求項１に記載の方法。
【請求項９】
注入される流体の量の計測を開始又は停止する信号を、前記制御局から受信することを特徴とする請求項１に記載の方法。
【請求項１０】
前記注入装置のリセットスイッチを手動で作動させ、
リセット信号を前記制御局に送信することを備え、前記リセット信号は前記計測装置が第２のプリセット量を注入する準備ができたという指示を提供する請求項１に記載の方法。
【請求項１１】
前記注入装置に結合された複数のプログラミングキーで、前記プリセット量を選択することを更に特徴とする請求項１に記載の方法。
【請求項１２】
液体潤滑剤のプリセット量を供給するために装置であって、
出口への供給流路を通る液体流量を制御するために配置される弁部材を備える弁と、
供給流路が、液体の流れに対して開放されている開位置、及び供給流路が液体の流れに対して閉じられる閉位置とで前記弁部材を保持するための電動操作掛合機構と、
前記閉位置から前記開位置まで前記弁部材を動かすための手動操作可能部材と、
液体の流量パラメータを測定するために操作可能な計測装置と、
前記手動操作可能部材の動作を検知し、それに応答して前記開位置で前記弁部材を保持するように前記電動操作掛合機構を作動させるための制御回路とを備え、
前記制御回路が、前記計測装置に操作可能に連結され、前記流量パラメータのユニットを測定し、プリセット量に等しい流量パラメータに応じて、前記制御回路が前記掛合機構を起動させて前記弁部材を閉位置に戻し、
更に、前記手動操作可能部材の操作を可動及び不動にする信号を受信するための、無線周波受信器及びアンテナを備えることを特徴とする装置。
【請求項１３】
リセット信号に応じて前記制御回路が前記掛合機構を作動し、前記閉位置で前記弁部材を掛合することを特徴とする請求項１２に記載の装置。
【請求項１４】
前記無線周波受信器が、注入するプリセット量を提供する信号を更に受信することを特徴とする請求項１２に記載の装置。
【請求項１５】
前記電動作動ソレノイドに可動に連結される掛合ピンを備え、該掛合ピンが前記開位置及び前記閉位置で前記弁を掛合するためのものであることを特徴とする請求項１２に記載の装置。
【請求項１６】
前記弁部材が前記弁を開けるために可動に連結される起動装置を備え、該起動装置は第一及び第二のみぞを備え、該第一及び第二のみぞは、掛合ピンを受けるために大きさ及び寸法が設定され、各々前記開位置及び閉位置で前記弁を掛合するために前記起動装置に配置されていることを特徴とする請求項１５に記載の装置。
【請求項１７】
前記起動装置がばねを更に備え、手動操作レバーが起動し、掛合ピンが第１及び第二のみぞのうちの1つに保持される場合、前記ばねが、手動操作レバーに抗する力を備える手動フィードバックを提供することを特徴とする請求項１６に記載の装置。
【請求項１８】
ラジオ周波数発信器を備え、該ラジオ周波数発信器が、リセット信号及びプリセット量を前記制御局に送るためのものであることを特徴とする請求項１２に記載の装置。
【請求項１９】
前記制御局が更に、
ユーザインタフェースと、
無線周波発信器とを備え、前記プリセット量を含むバッチプログラムが、ユーザインタフェースから受信されて、ラジオ周波数受信器に送信されることを特徴とする請求項１８に記載の装置。
【請求項２０】
更に、前記装置が第二のプリセット量を注入する準備が整ったという信号を提供するための、手動リセットスイッチを備えることを特徴とする請求項１２に記載の装置。
【請求項２１】
更に、前記ラジオ周波数受信器が前記制御局から指令データ信号を受信することを特徴とする請求項１２に記載の装置。
【請求項２２】
更に、前記ラジオ周波数受信器が更に流体の流量を中断するために、前記制御局によって選択的に送られる信号を受信するということを特徴とする請求項１２に記載の装置。
【請求項２３】
前記弁が閉位置で掛合される場合、前記掛合ピンは、前記起動装置の動作を停止し、もって流体の前記弁を通した漏れを防止することを特徴とする請求項１６に記載の装置。
【請求項２４】
液体潤滑剤のプリセット量を供給するための装置であって、
供給流路を通して液体流量を制御するために配置される弁部材を出口に備える弁と、
液体の流量を測定するために操作可能な計測装置と、
前記弁を開位置に作動させるための制御信号に応じて、前記液体潤滑剤の前記プリセット量の送出を始めるための制御回路であって、前記液体潤滑剤の前記プリセット量を注入した後に、前記弁の作動を停止して前記弁が閉位置に戻るようにする制御回路と、
前記弁、前記計測装置及び前記制御回路のための筐体のためのケーシングと、
更に、前記弁を作動させ及び作動を停止させる制御信号を受信するために前記ケーシングに配置されるラジオ周波数受信器及びアンテナと、を備えることを特徴とする装置。
【請求項２５】
注入されるプリセット量を示す制御信号及びデータを送るために、主制御局と協働する請求項２４に記載の装置。
【請求項２６】
更に、前記ケーシングがヘッド部分及びハンドル部分し、
前記弁、前記計測装置及び前記制御回路が前記ヘッド部分に収容され、
前記ラジオ周波数受信器及び前記アンテナは、前記ハンドル部分で収容される請求項２４に記載の装置。
【請求項２７】
前記ケーシングが装置のハンドル部分に連結されるヘッド部分を有し、
前記弁、前記計測装置及び前記制御回路が前記ヘッド部分に収容され、
前記ラジオ周波数受信器及び前記アンテナが前記ハンドル部分に収容される請求項２４に記載の装置。
【請求項２８】
装置が主制御局に信号を送るためのラジオ周波数発信器を更に備える請求項２４に記載の装置。
【請求項２９】
複数の携帯型計測装置を通して注入される、液体潤滑剤のプリセット量を監視するための無線ネットワーク化されたシステムであって、
複数の前記携帯型計測装置を通して注入される前記液体潤滑剤の前記プリセット量を示す入力を受信するための主制御局と、
液体潤滑剤の各プリセット量の注入及び測定のための複数の携帯型計測装置と、を備え、
更に、前記携帯型計測装置は、前記主制御局と通信するためのラジオ周波数発信器を有することを特徴とし、
更に、前記主制御局は、前記携帯型計測装置から信号を受信するためにラジオ周波数受信器を有し、液体潤滑剤のプリセット量の注入を監視することを特徴とするシステム。
【請求項３０】
前記携帯型計測装置の各々が液体潤滑剤の供給部にホースを介して連結されることを特徴とする請求項２９に記載のシステム。
【請求項３１】
更に、前記携帯型計測装置の各々も、注入される液体潤滑剤の前記プリセット量を入力するためのキーを有することを特徴とする請求項２９に記載のシステム。
【請求項３２】
更に、前記主制御局が、制御データ及びプリセット量データを携帯型計測装置に送るためのラジオ周波数発信器も有し、
前記携帯型計測装置も、前記主制御局から制御データ及びプリセット量データを受信するためのラジオ周波数受信器を有することを特徴とする請求項２９に記載のシステム。
【請求項３３】
更に、前記制御信号が液体潤滑剤の個々のプリセット量の注入を開始する起動指令を備えることを特徴とする請求項３２に記載のシステム。
【請求項３４】
前記制御データは、液体潤滑剤の個々のプリセット量の注入を中断するための割込み指令を備えることを特徴とする請求項３２に記載のシステム。
【発明の詳細な説明】
【技術分野】
【０００１】
本発明は、潤滑液を注入するための計測銃又はノズルに関するものである。
【背景技術】
【０００２】
車両サービスの分野で、携帯型計測銃又はノズルが、所定量の潤滑液（油等）を注入するために使用される。これらの装置は、ハンドルに対して握られる作業開始用のレバーを有している。装置の計測部分は、装置を通る流体の量を測定し、予め設定された量であるプリセット量の流体が注入されたら弁を閉じる。このような装置は、油又は他の潤滑液のバルク供給を使用するサービス作業車両で有効であり、また、他の産業応用においても有効である。
【０００３】
このような装置の一例が、2000年6月16日に出願され、現在は特許された、フェル（Fehl）らの、米国特許出願第09/595829号明細書に開示されている。この装置では、油又は他の潤滑液の注入を調整するために、プログラミングキーパッドが潤滑油計器と一体化されている（特許文献１参照。)。
【０００４】
しかし、このような装置を単独方式で使用すると、注入される潤滑液の測定をメータが開始する前に、装置が操作できるという問題がある。したがって、油又は他の流体は、計上されずに注入される可能性がある。更に、各々の装置は、使用者の各々によってプログラムされかつ動作されるので、ガソリンスタンド又は施設において注入された流体の量全体にわたる均一な制御を維持することは難しいだろう。
【０００５】
米国特許第5,941418号明細書は、複数の潤滑メータを制御ペンダントによって制御するシステムを開示する。このシステムでは、ペンダントは、上述のフェルらの装置に一体化されたキーパッドに対して使用される。ここで、潤滑メータは、ツイストペアネットワークを通して一体に結合されている。ペンダントは、システムをプログラミングし、又は流体の注入を命令するために、いずれかの注入メータに連結されることができる（特許文献２参照。）。
【特許文献１】米国特許出願第09/595829号明細書
【特許文献２】米国特許第5,941,418号明細書
【発明の開示】
【発明が解決しようとする課題】
【０００６】
このシステムは、全体的な流体送出の監視及び制御に対して、若干の利点を提供するが、いくつかの不利益も提示する。例えば、ツイストペアネットワークは、サービス施設で大量のネットワークインフラストラクチャが必要であり、車両、容器又はサービスを提供する他の道具のサイズ及び位置に合わせるために、潤滑メータを動かす能力が制限される。更に、ツイストペアネットワークが中央位置に追加的に配線されない限り、システムは中央オフィス又は位置から制御されることができない。
【０００７】
一以上の携帯型計測装置からの潤滑液の注入を自動的に制御し、プログラムされたバッチが注入され且つ計上されることを確実にする、柔軟なシステムを提供することが当該技術に必要である。
【課題を解決するための手段】
【０００８】
本発明は、潤滑液を注入するための方法及び装置であり、イネーブル信号が主制御局から受信されるまで、当該装置は動作不能の状態で維持され、それによって、本装置は、計測されない潤滑液が注入できないようになっている。イネーブル信号が受信された後、プログラムされた一回分が注入されて完了すると、作業者はリセットボタンを押して第１回目のバッチの完了を送信し、次のバッチのための次のイネーブル信号に対する準備をする。
【０００９】
より具体的には、本発明は、注入装置により、潤滑液の注入量を制御する方法を備える。弁は、イネーブル信号が制御局から受信されるまで遮断される。イネーブル信号を受信すると、閉位置から開位置に弁を手動で動かすことができるようになる。手動作動の後、弁は開位置で掛合され、パラメータがプリセット量に等しくなるまで、液体の流れパラメータが測定される。電気操作可能な装置は、次に弁の掛合を解除するように作動され、弁は閉位置に戻ることができ、液体の流れが停止され、バッチプリセット量が注入されたことを示す信号が発生されて制御局に送られる。制御局からの信号を受信すると、次のイネーブル信号が受信されるまで、弁は作業から再び遮断される。
【００１０】
本発明の目的は、無線通信網、特にRF通信網を通して通信する中央制御局及び一以上の携帯型計測装置を備える潤滑液注入システムを提供することである。
【００１１】
本発明の他の目的は、注入される潤滑液のプリセット量を中央制御局で選択できる潤滑液注入システムを提供することである。
【００１２】
本発明の更にもう一つの目的は、注入又は計測装置を、開及び閉位置でロックすることのできる掛合部を備えた潤滑液注入システムを提供することである。
【００１３】
本発明の更にもう一つの目的は、中央制御局が無効化信号を提供することができ、無効化信号を受信した後、携帯型計測装置が閉位置で弁を掛合する潤滑液注入システムを提供することである。
【００１４】
発明の更に別の目的は、複数の部材からなる弁組立品を提供することであり、弁がロックされた閉位置にある場合、作動レバーと弁部材との間に配置される起動装置片と、掛合ピンとの間の作用によって弁の漏れが防止される。
【００１５】
本発明の他の目的は、レバーの過負荷を防止するために手動作動式レバーで若干の遊びを提供することである。遊びは、レバーが、レバーがブロックされて操作不能である場合に、使用者に手動のフィードバックを提供する。
【００１６】
上で説明した他の本発明の他の目的及び利点は、以下に述べる好ましい実施形態の説明から、当該技術における通常の熟練した者にとっては明らかであろう。以下の説明において、本明細書の一部を形成し且つ本発明を図示する添付図面が参照される。しかし、そのような実施例は、本発明の種々の実施形態の全てを表すものではなく、ゆえに、本発明の範囲を決定するためには、請求の範囲が参照される。
【発明を実施するための最良の形態】
【００１７】
最初に、本発明に従って構築される注入システムを、図１を参照して説明する。注入システムは、一以上の携帯型計測装置８に通信で接続される主制御局１を備え、計測装置８は、各ホース３によってバルク供給装置２に各々連結されている。バルク供給装置２は、計測装置８に油、グリース又は他の潤滑液を供給し、各々の計測装置８は管４を通して選択的に車両、タンク又は容器（図示せず）に潤滑液を供給する。
【００１８】
主制御局１は、表示装置６を備えるユーザインタフェース５及び複数のキー７等の入力装置を具備する。制御局１は、発信器及び受信器（図示せず）及び関連アンテナ9を更に備え、好ましくは低電力のワイヤレスの無線周波リンクである通信網を通して計測装置８に通信で接続される。なお、他の無線及び有線の通信網も使用することができることは、明瞭である。
【００１９】
注入装置８の各々から注入される潤滑液の量は、ユーザインタフェース５を通って制御局１に入力され又はバッチプログラムに入力されることができる。制御局１は、ネットワーク通信リンクを通した注入ユニット８に、注入される潤滑液のプリセット量を備えるプログラム情報を伝える。或いは、各々の計測装置８のためのプログラムは、後により完全に説明するが、注入装置８に接続されるプログラミングキー20を通して入力されることができる。いずれにせよ、注入プログラムは、計測装置８で提供される手入力の組合わせによって制御され、制御局１から送られる指令を通して制御される。例えば、これらの指令は、イネーブル注入信号、注入起動及び停止信号、割込み信号、リセット信号及びメータ起動及び停止信号を含むだろう。下記のように、他の状態のデータ及び指令が、制御局１と計測装置８との間で通信されることができる。
【００２０】
図２に関して述べると、本発明の計測装置８は、金属帯体筐体11の外側縁部である露出された金属帯体を除いて、主に成形された可塑材からなるケーシング10を備える。ケーシング10は、ヘッド部12、ヘッド部12から延びた丸いハンドル13、及びヘッド部12から延びてハンドル13の末端部に連結するトリガ保護部15を備える。装置は、更にハンドル13に対して握りしめられる場合に、液体の流れを制御するため弁（図2に示さず）の開閉を操作する手動レバー14を備える。液体は、入口16を通って入り、出口17（図3）を通って出る。シェブロン形のトレッド又は凸部13aがハンドル13に沿って所定間隔で配置され、より良い握りを提供するようになっている。
【００２１】
計測装置８も、ベゼル部18を備え、当該ベゼル部18は、表示装置19及び一群の6つのプログラミングキー20及び1つの手動の停止ボタン21を備えるユーザインタフェース周辺に取り付けられている。手動の停止ボタン21は、制御回路40（図5）に、電気信号を提供し、弁を閉じ、以下に記す方法で、液体流量を遮断する。
【００２２】
図３を参照すると、潤滑液は、入口16に流入し、供給流路22を通して、弁室23へ入る。弁部材組立品24は、弁室23を通して液量を制御するように上下動可能に、弁座内に垂直に配置されている。弁室23の他側で、第二の傾いた供給流路25が、計測室に連結され、そこで、2つの偏心した計測歯車26が液体流量に応じて回転する。液体は、計測歯車26の中を通って出口17から流れる。
【００２３】
弁部材組立品24は、好ましくは、3つの部品を備える、複数の部材からなる組立品であり、以後、それらを起動装置46、停止装置45及び弁部材73という。これらの部品の各々は、より完全に以下で説明する。
【００２４】
起動装置46は、弁部材73の中に可動に連結され、押棒33、第１及び第二のみぞ35及び39及びばね48を備える。みぞ35及び39は、掛合ピン38を受けるために大きさ及び寸法が設定され、それは、電気掛合ソレノイド36によって、選択的に起動されて、以下に述べる開又はロックされた閉位置で弁部材73を掛合する。押棒33は、レバー14によって起動するように配置され、ばね48は、以下に述べるようにレバー14を起動させる作業者への手動フィードバックと同様に戻りの機能も提供する。
【００２５】
停止装置45は、フランジ49及び戻しばね32を備える。レバー14が作動し、弁部材組立品24が開位置に動いた場合、フランジ49は、検知スイッチ37を起動させ、それによって、以下に説明するように、回路基板27に、弁部材組立品24が開き、開位置で掛合可能であるという指示を提供する。弁部材組立品24が手動又はロックされた閉位置に戻されると、戻しばね32は、フランジ49は検知スイッチ37を非作動状態にし、それによって回路基板27に信号を提供し、弁部材組立品24はもはや開位置になくなる。
【００２６】
電子回路基板27は、ケーシング10のヘッド部12の表示装置19、プログラミングキー20及び停止ボタン21の下に設置される。大きなコンデンサ28が、マイクロエレクトロニクス処理装置29と共に、回路基板27上で、一つ以上のリードスイッチ30、表示装置19、及び以下に説明する他の部品に取り付けられる。主制御局１との、ラジオ周波数（RF）通信のための、受信器及び発信器回路を備えるラジオボード43が、関連アンテナ44と共に、トリガ保護部15に位置する。電子回路基板27、ラジオボード43、アンテナボード44及び他の回路のための動力は4つのAAサイズの電池31によって提供され、それは、ケーシング10のトリガ保護部15内に位置する。ラジオボード43は、電子回路基板27に更に電気的に接続され、以下に説明するように、プログラム、処理装置29及び関連記憶部品に、指令及び送出し状態データが、送られ、またそこから受信される。
【００２７】
注入される潤滑液の量を測定するために、処理装置29は、メモリに記憶された制御プログラムを実行し、歯車26によって発生されて流量のユニットへのリードスイッチ30を通して検知される計測パルスを数え、表示装置19で値を表示する。表示装置19は、例えば、総量及び再設定可能な総量の流量パラメータを示すことができる。
【００２８】
計測歯車26は、永久磁石（図示せず）を備える。歯車26及び磁石が回転し、永久磁石によって発生される磁界の極性の変化により、リードスイッチ30を開閉させる。リードスイッチ30によって発生させられる電気パルスは、回路基板27に位置する処理装置29に送信される。
【００２９】
操作中、計測装置８は、掛合ピン38の位置に依存する3つの異なる状態で保持されることができる。これらの状態は、以下の通りである。ロックされた開状態、弁部材組立品24は、掛合ピン38によって開に掛合される。ロックされた閉状態、弁部材24が「締め出され」、又は、掛合ピン38によって閉じた状態に保持される。常時閉手動状態、掛合ピン38が係合されず、レバー14は手動で起動することができ、弁を開けて入口16から出口17まで潤滑液流が提供される。電気的に操作可能なラッチ機構36が起動し、受容みぞ35又は39に掛合ピン38を延ばして又は引っ込め、それによって、下記に説明するように計測装置８の状態を決定する。
【００３０】
再び図３を参照すると、掛合ピン38はどちらのみぞ35又は39にも係合されず、したがって、計測装置８が手動状態にあることが分かる。この状態で、レバー14を起動するまで、弁部材組立品24はばね32によって閉じるように押されている。ここで、ハンドル13の方へレバー14を握りしめると、レバー14は、起動装置46の押棒33と接触して、動かし、弁室23が供給流路22と連通する位置に弁部材73が上げられる。弁室23は、また、供給流路25と連絡しており、歯車26及び結局出口17に入口16から液体のための流路が完成する。
【００３１】
図4aに、ロックされた閉状態の計測装置８を示す。ここで、掛合ソレノイド36は、弁部材73の移動が防止され、みぞ39に掛合ピン38を延ばすために起動され、弁23,24が閉位置で維持され、供給流路22及び25を通した流体の流量が防止される。みぞ39は、少量の追加の空間又は「遊び」を備えるように寸法取りされ、掛合ピン38がみぞ39内にある場合であっても、起動装置46がわずかに動く。しかし、レバー14が作動すると、弁部材組立品24が開けられる前に、起動装置46は掛合ピン38と接触し、それによって、弁24を通して発生する全ての液体の流れ又は、漏れを防止する。更に、レバー14がロックされた閉位置で弁部材組立品24で起動される場合、ばね48は、レバー14の起動に対抗している反作用的な力を提供し、作業者をレバーの過負荷から保護し、ひいては、計測装置８の起こりうる損傷を防止する。
【００３２】
図4bは、開位置の計測装置８を示す。ここでは、掛合みぞ35に掛合ピン38を延ばすように掛合ソレノイド36が起動される。弁23,24は開位置で保持され、供給流路22及び25を通して流体が流れることができるようになる。弁部材組立品24が開の場合、計測歯車26は、液体の流量に比例した率で回転し、流体の流れを先に述べたように計測することができる。
【００３３】
図５を参照すると、回路基板27上に取り付けられる電子制御回路40は、処理装置29を備える。当該処理装置29は、好ましい実施形態において、テキサスインスツルメンツ社から手に入るオンボードメモリでMSP 430のマイクロエレクトロニクスの処理装置29である。命令の制御プログラムは、本明細書で説明される制御機能を実行するためにオンボードメモリに保管される。EEPROM 41も、使用者設定及びバッチ履歴を保管するために処理装置29に接続されている。結晶発振回路42は、処理装置29を駆動するためにタイミング信号を提供する。処理装置29は、プログラミングキー20からの入力を読み取ってデータを表示装置19に送る。処理装置29は、ソレノイド36（SOL.LATCH）を掛合し、ソレノイド36の掛合を解除する（SOL.UNLATCH）ことができる制御信号を送信する。これらは、動力トランジスター回路47を通してソレノイド36に接続される。処理装置29も、リードスイッチ30及びトリガ検知スイッチ27から入力信号を検知する。処理装置29は、バッテリーチェック回路50を通して、電池31の電圧を検知する。電池は、定電圧回路49に６ＤＣボルトの未調整電力を供給し、それは、制御回路40で他の回路に3.3ＤＣボルトの動力を供給する。コンデンサ28は、ダイオード51を介して電池31に接続され、電池31によって、６ＤＣボルト未調整電力に電池31によって充電される。
【００３４】
回路基板27及び関連処理装置29は、双方向リンクを通してラジオボード43及び関連アンテナ44に更に連結される。ラジオボード43を通して、処理装置29は制御局１から指令信号及びデータを受信して及び指令信号、ステータス情報及びデータを制御局に送る。加えて、回路基板27及び関連処理装置29は、プログラミングキー20及び停止ボタン21から入力信号を受信する。停止ボタン21が作動すると、処理装置29は、掛合ソレノイド36に信号を提供し、ソレノイドの掛合を解除し、弁組立品24を閉じる。プログラミングキー20は、計測装置８が手動モードで使用される場合、バッチ又は注入される流体の量をプログラムするために使用されることができ、また、「リセットされた」信号を供給するために使用されることができる。リセット信号は、回路基板27で受信されて及びラジオボード43を通して制御局１に送られることができる。
【００３５】
操作中に、計測装置８は制御回路40及び制御局１によって制御され、潤滑液のプリセット量又はバッチが注入されることができる。制御局１は、例えば、制御回路40に、起動指令、停止指令、割込み指令及び注入される潤滑液の量を提供するプログラム指令を含む指令を提供する。計測装置８は制御局１から指令を受信して、弁部材組立品24の開閉、計測機能、及び手動作業信号を制御する。
【００３６】
図６は、本発明に従って潤滑液を注入する際の計測装置８の操作を示した流れ図である。図２及び４で説明したように、制御局１及び計測装置8（ステップ53）に動力が与えられた後、ステップ55で、制御局１は、計測装置８によって注入されるプリセット量を備えるデータを、計測装置８のアンテナボード44及び関連ラジオボード43に、アンテナ9を介して送信する。受信されたプリセット量は、メモリ内に注入データを保管する処理装置29に送信されることができる。一旦データが処理装置29によって受信されると、処理装置29は、パワートランジスター47に信号を送り、掛合ソレノイド36の掛合を解除し、掛合ピン38をロックされた閉位置から除去し、弁は閉状態に掛合される。処理装置29は、トリガ検知スイッチ27を監視し、レバー14が手動で起動したかどうかを決定する。
【００３７】
ステップ59で、制御回路40が、レバー14が起動して弁部材組立品24が開であること検知した場合、処理装置29は開位置で掛合ソレノイド36を掛合し、ピン38をみぞ35に延ばし、それによって開位置で弁部材73を掛合し、流体が供給流路22から弁部材73を通して供給流路25を流れ、出口17から流れ出る。流体が注入されると、処理装置29は、先に述べたように計器10を通して絶えず流量を監視する。処理装置29は、また、制御局１からの伝達に対して絶えずラジオボード43を監視し、計測装置８からの流体の注入を中断又は停止させるために計測装置に信号を送ることができる。
【００３８】
ステップ61で示すように、バッチが終了すると、プリセット量が注入される。ここで、処理装置29はパワートランジスター回路47に提供される復旧信号を通して、ソレノイド36を作動させ、ピン38を引っこめる。ピン38が引っ込むと、上で図３を参照して説明したように、弁部材組立品24は、バネ32の補助によって手動位置に移動する。手動位置で、レバー14によって弁を一時的に起動することができ、使用者が追加の流体を注入し、又は充填されるタンク又は容器を満タンにすることができる（ステップ62）。選択された量の液体が注入されると、使用者は、手動でリセットされたスイッチを起動させ（ステップ63）、それは、処理装置29によってトリガ検知スイッチ27を介して検出される。
【００３９】
ステップ65を参照すると、リセット信号が受信された後、計測装置８はラジオボード43及び関連アンテナ44を通して制御局１に信号を送る。制御局がリセット信号を受けると、ラジオボード43を通して制御回路40にディスエーブル信号が提供され、みぞ39に掛合ピン38を動かし、ソレノイド36を作動させることによって弁を動かない状態にし、閉位置で弁部材組立品24をロックする。新しいプログラムが制御局1（ステップ55）から送られるまで、計測装置８は、動かないままで、計測装置８はそれで手動状態に戻され、レバー14が再び手動で起動するのを待つ。
【００４０】
或いは、プリセット量が注入された後の、更なる注入を制限するために、ソレノイド36は、掛合ピン38を起動させるためにソレノイド36を再び作動させることによって図3bの閉位置で弁24を掛合することができる。ここで装置は、計測装置８のユーザインタフェースの上に位置するプログラミングキー20又は専用のキーを通して作業者がリセット63に入るまで、閉位置で保持される。リセットは、計測装置８が新しいプリセット量を受ける準備が整っている指示を制御局１に提供し、それは、ステップ55で再び工程を開始するためにラジオボード43に送られる。
【００４１】
操作中に、計測装置８は、制御回路40と制御局１とによって制御され、潤滑液の所定量又はバッチが注入される。制御局１は、制御回路40に、例えば、起動指令、停止指令、割込み指令及び注入される潤滑液の量を提供するデータを備える指令及びデータを提供することができる。計測装置８は、制御局１から指令及びデータを受信し、弁部材組立品24の開閉、計測機能及び手動操作信号を制御する。
【００４２】
本発明の方法及び装置の好ましい実施形態を説明したが、当該技術の通常の技能を有する者は、発明の精神及び範囲の範囲内で、更に修正がなされる可能性があることを認め、本発明の実施形態を定義するために、請求項を規定する。
【図面の簡単な説明】
【００４３】
【図１】図１は、制御局及びいくつかの携帯型計測装置を組み込んだRFネットワーク化システムの概略図である。
【図２】図２は、本発明を取り込んだ装置の斜視図である。
【図３】図３は、図２の装置の断面図である。
【図４】図4a及び4bは、手動の作動装置の詳細図及び閉位置及び、それぞれ、開位置の弁スプールである。
【図５】図５は、図２及び３の装置の電気系統のブロック図である。
【図６】図６は、携帯型計測装置及び制御局の操作の流れ図である。
【符号の説明】
【００４４】
１  主制御局
８  計測装置(注入装置)
14  レバー
24  弁
【図１】
2005537189.tif 000003
【図２】
2005537189.tif 000004
【図３】
2005537189.tif 000005
【図４ａ】
2005537189.tif 000006
【図４ｂ】
2005537189.tif 000007
【図５】
2005537189.tif 000008
【図６】
2005537189.tif 000009
【国際調査報告】
2005537189.tif 000010
2005537189.tif 000011